(57)【要約】【解決課題】低コストで、商品を販売するための機会を多く提供することができるようにする。【解決手段】バーチャル自販機サービスでは、バーチャル自販機サイトの入り口ページの接続先ＵＲＬが、購入希望者が目的とするＰＯＰ型自販機２４の非接触ＩＣ端末２４Ａから携帯電話２２に読み込まれ、携帯電話２２からバーチャル自販機サイトの入り口ページのＨＰ４０にアクセスされる。そして、携帯電話２２において、入り口ページに表示されたＰＯＰ型自販機２４に対応するメールアドレスに基づいて、空の電子メールがサーバ１２に送信される。サーバ１２では、携帯電話２２からの空の電子メールが受信されると、バーチャル自販機サイトの接続先ＵＲＬを示す電子メールを購入希望者の携帯電話２２に送信し、返信メールをサーバ１２から受信した携帯電話２２は、データベース１２Ｃに記憶されているバーチャル自販機サイトのＨＰ４０にアクセスすることができる。【選択図】図１
2008176554.tif 000002
【特許請求の範囲】
【請求項１】
複数の商品からなる商品群に関するデータであるバーチャル自動販売機データを複数記憶した記憶手段と、
複数の商品からなる商品群を表示する商品群表示媒体の表示内容に基づいて、通信機能を有する購入希望者の携帯情報端末から、前記商品群に関するデータの要求信号を、ネットワークを介して受信する受信手段と、
前記受信手段によって受信した前記要求信号に応じて、前記記憶手段によって記憶された前記バーチャル自動販売機データを、前記ネットワークを介して前記携帯情報端末に送信する送信手段と、
を含むバーチャル自動販売機用通信サーバ。
【請求項２】
前記バーチャル自動販売機データは、前記商品群に応じて定められたメールアドレスを含み、
前記携帯情報端末から、前記携帯情報端末で受信したバーチャル自動販売機データの前記メールアドレスを用いて送信された電子メールを受信するメール受信手段と、
前記メール受信手段によって前記電子メールを受信したときに、前記商品群を販売するサイトの接続先情報を、電子メールによって前記携帯情報端末へ送信するメール送信手段と、
を更に含むバーチャル自動販売機用通信サーバ。
【請求項３】
前記商品群表示媒体は、紙で形成され、
前記商品群表示媒体には、前記商品群のバーチャル自動販売機データに関する情報が変換された二次元コードが表示され、
前記携帯情報端末は、前記二次元コードを読み取る読取手段を備えた請求項１又は２記載のバーチャル自動販売機用通信サーバ。
【請求項４】
前記商品群表示媒体は、紙で形成され、
前記商品群表示媒体には、前記商品群のバーチャル自動販売機データに関する情報を記憶した非接触ＩＣ端末が設けられ、
前記携帯情報端末は、前記非接触ＩＣ端末に記憶されている情報を読み取る非接触ＩＣリーダを備えた請求項１又は２記載のバーチャル自動販売機用通信サーバ。
【請求項５】
前記商品群表示媒体は、書籍又はテレビであり、
前記商品群表示媒体には、前記商品群のバーチャル自動販売機データに関する情報が変換された二次元コードが表示され、
前記携帯情報端末は、前記二次元コードを読み取る読取手段を備えた請求項１又は２記載のバーチャル自動販売機用通信サーバ。
【請求項６】
複数の商品からなる商品群に関するデータであるバーチャル自動販売機データを複数記憶した記憶手段、
前記商品群に関するデータの要求信号を、ネットワークを介して受信するサーバ側受信手段、及び
前記受信手段によって受信した前記要求信号に応じて、前記記憶手段によって記憶された前記バーチャル自動販売機データを、前記ネットワークを介して前記携帯情報端末に送信するサーバ側送信手段を含むバーチャル自動販売機用通信サーバと、
複数の商品からなる商品群を表示する商品群表示媒体の表示内容に基づいて、前記商品群に関するデータの要求信号を、前記ネットワークを介して前記自動販売機用通信サーバに送信する端末側送信手段、及び
前記自動販売機用通信サーバから、前記商品群のバーチャル自動販売機データを、前記ネットワークを介して受信する端末側受信手段
を含む購入希望者の携帯情報端末と、
を含むバーチャル自動販売機用通信システム。
【発明の詳細な説明】
【技術分野】
【０００１】
本発明は、バーチャル自動販売機用通信サーバ及びバーチャル自動販売機用通信システムに係り、特に、商品群のバーチャル自販機データを携帯情報端末に送信するバーチャル自動販売機用通信サーバ及びバーチャル自動販売機用通信システムに関する。
【背景技術】
【０００２】
従来より、多くの自販機が設置され、これらの自販機は２４時間稼動しており、自販機ビジネスは、大きな売上げをあげている。
【０００３】
自販機ビジネスの成否を決めるのは、設置場所と商材であり、設置場所が正しければ、２４時間安定した収益をあげることができる。また、一度設置してしまえば、後は商品の納入とつり銭の補充だけでほとんど人件費を伴わずに効率的な事業を行うことが可能となっている。また、商材に関しては、売れない商品を簡単に入れ替えることで、絶えず売れ筋商品を販売することが可能である。
【発明の開示】
【発明が解決しようとする課題】
【０００４】
しかしながら、従来の自販機では、自販機設置自体が限界に達しており、更に多くの自販機を設置することは困難であり、また、設置する自販機の機械自体に多くのコストがかかってしまう、という問題がある。
【０００５】
本発明は、上記の問題点を解決するためになされたもので、低コストで、商品を販売するための機会を多く提供することができるバーチャル自動販売機用通信サーバ及びバーチャル自動販売機用通信システムを提供することを目的とする。
【課題を解決するための手段】
【０００６】
上記の目的を達成するために本発明に係るバーチャル自動販売機用通信サーバは、複数の商品からなる商品群に関するデータであるバーチャル自動販売機データを複数記憶した記憶手段と、複数の商品からなる商品群を表示する商品群表示媒体の表示内容に基づいて、通信機能を有する購入希望者の携帯情報端末から、前記商品群に関するデータの要求信号を、ネットワークを介して受信する受信手段と、前記受信手段によって受信した前記要求信号に応じて、前記記憶手段によって記憶された前記バーチャル自動販売機データを、前記ネットワークを介して前記携帯情報端末に送信する送信手段とを含んで構成されている。
【０００７】
本発明に係るバーチャル自動販売機用通信サーバによれば、複数の商品からなる商品群を表示する商品群表示媒体の表示内容に基づいて、通信機能を有する購入希望者の携帯情報端末から、商品群表示媒体に表示された商品群に関するデータの要求信号を、受信手段によって、ネットワークを介して受信し、送信手段によって、記憶手段によって記憶されたバーチャル自動販売機データを、ネットワークを介して携帯情報端末に送信する。
【０００８】
そして、購入希望者の携帯情報端末において、バーチャル自動販売機データに基づいて、商品群表示媒体に表示された商品群に含まれる商品の通信販売が行われる。
【０００９】
このように、商品群表示媒体の表示内容に基づいて、購入希望者の携帯情報端末からデータの要求信号を受信し、バーチャル自動販売機データを携帯情報端末に送信することにより、商品群表示媒体を設置すれば、購入希望者の携帯情報端末を用いて、商品を販売することができるため、低コストで、商品を販売するための機会を多く提供することができる。
【００１０】
本発明に係るバーチャル自動販売機データは、商品群に応じて定められたメールアドレスを含み、バーチャル自動販売機用通信サーバは、携帯情報端末から、携帯情報端末で受信したバーチャル自動販売機データのメールアドレスを用いて送信された電子メールを受信するメール受信手段と、メール受信手段によって電子メールを受信したときに、商品群を販売するサイトの接続先情報を、電子メールによって携帯情報端末へ送信するメール送信手段とを更に含むことができる。これにより、電子メールの送受信によって、商品群を販売するサイトへ購入希望者を誘導することができる。
【００１１】
また、本発明に係る商品群表示媒体は、紙で形成され、商品群表示媒体には、商品群のバーチャル自動販売機データに関する情報が変換された二次元コードが表示され、携帯情報端末は、二次元コードを読み取る読取手段を備えることができる。これにより、商品群表示媒体に表示された二次元コードを購入希望者の携帯情報端末に読み取らせて、携帯情報端末に要求信号を送信させることができる。
【００１２】
本発明に係る商品群表示媒体は、紙で形成され、商品群表示媒体には、商品群のバーチャル自動販売機データに関する情報を記憶した非接触ＩＣ端末が設けられ、携帯情報端末は、非接触ＩＣ端末に記憶されている情報を読み取る非接触ＩＣリーダを備えることができる。これにより、商品群表示媒体に設けられた非接触ＩＣ端末の情報を、購入希望者の携帯情報端末に読み取らせて、携帯情報端末に要求信号を送信させることができる。
【００１３】
本発明に係る商品群表示媒体は、書籍又はテレビであり、商品群表示媒体には、商品群のバーチャル自動販売機データに関する情報が変換された二次元コードが表示され、携帯情報端末は、二次元コードを読み取る読取手段を備えることができる。これにより、書籍又はテレビに表示された二次元コードを購入希望者の携帯情報端末に読み取らせて、携帯情報端末に要求信号を送信させることができる。
【００１４】
本発明に係るバーチャル自動販売機用通信システムは、複数の商品からなる商品群に関するデータであるバーチャル自動販売機データを複数記憶した記憶手段、前記商品群に関するデータの要求信号を、ネットワークを介して受信するサーバ側受信手段、及び前記受信手段によって受信した前記要求信号に応じて、前記記憶手段によって記憶された前記バーチャル自動販売機データを、前記ネットワークを介して前記携帯情報端末に送信するサーバ側送信手段を含むバーチャル自動販売機用通信サーバと、複数の商品からなる商品群を表示する商品群表示媒体の表示内容に基づいて、前記商品群に関するデータの要求信号を、前記ネットワークを介して前記自動販売機用通信サーバに送信する端末側送信手段、及び前記自動販売機用通信サーバから、前記商品群のバーチャル自動販売機データを、前記ネットワークを介して受信する端末側受信手段を含む購入希望者の携帯情報端末とを含んで構成されている。
【００１５】
本発明に係るバーチャル自動販売機用通信システムによれば、購入希望者の携帯情報端末において、端末側送信手段によって、複数の商品からなる商品群を表示する商品群表示媒体の表示内容に基づいて、商品群に関するデータの要求信号を、ネットワークを介して自動販売機用通信サーバに送信する。
【００１６】
そして、自動販売機用通信サーバにおいて、サーバ側受信手段によって、商品群に関するデータの要求信号を、ネットワークを介して受信し、サーバ側送信手段によって、記憶手段によって記憶されたバーチャル自動販売機データを、ネットワークを介して携帯情報端末に送信する。
【００１７】
そして、携帯情報端末において、端末側受信手段によって、自動販売機用通信サーバから、商品群のバーチャル自動販売機データを、ネットワークを介して受信し、購入希望者の携帯情報端末において、バーチャル自動販売機データに基づいて、商品群表示媒体に表示された商品群に含まれる商品の通信販売が行われる。
【００１８】
このように、商品群表示媒体の表示内容に基づいて、購入希望者の携帯情報端末からデータの要求信号を受信し、バーチャル自動販売機データを携帯情報端末に送信することにより、商品群表示媒体を設置すれば、購入希望者の携帯情報端末を用いて、商品を販売することができるため、低コストで、商品を販売するための機会を多く提供することができる。
【発明の効果】
【００１９】
以上説明したように、本発明のバーチャル自動販売機用通信サーバ及びバーチャル自動販売機用通信システムによれば、商品群表示媒体の表示内容に基づいて、購入希望者の携帯情報端末からデータの要求信号を受信し、バーチャル自動販売機データを携帯情報端末に送信することにより、商品群表示媒体を設置すれば、購入希望者の携帯情報端末を用いて、商品を販売することができるため、低コストで、商品を販売するための機会を多く提供することができる、という効果が得られる。
【発明を実施するための最良の形態】
【００２０】
以下、本発明の実施の形態について図面を参照して説明する。なお、本発明の実施の形態では、バーチャル自販機サービスを提供するバーチャル自販機システムに本発明を適用した場合を例に説明する。
【００２１】
図１に示すように、第１の実施の形態に係るバーチャル自販機システム１０は、バーチャル自販機を購入希望者に提示するサービス（バーチャル自販機サービス）を提供するサーバ１２と、インターネット等のネットワーク１６とを備えており、サーバ１２は、モデム、ルータ、またはＴＡ（ターミナルアダプタ）等の接続装置を介して、ネットワーク１６に接続されている。
【００２２】
さらにまた、ネットワーク１６には、デジタル携帯電話網等のネットワークを介して送受信センタ１８が接続され、送受信センタ１８にはアンテナを備えた基地局２０が接続されている。データ送受信機能及び非接触ＩＣ端末の情報を読取る非接触ＩＣリーダ２２Ｆを備えた携帯電話２２は、上記基地局２０を介してネットワーク１６に接続することができる。
【００２３】
また、バーチャル自販機システム１０は、紙でＰＯＰ型に形成された商品群表示媒体としてのＰＯＰ型自販機２４を備えており、ＰＯＰ型自販機２４は、携帯電話２２によってアクセスすべきページの接続先ＵＲＬを記憶した非接触ＩＣ端末２４Ａと、商品群を表示する商品群表示部２４Ｂとを備えている。ＰＯＰ型自販機２４は、例えば、書店店頭や、映画館、ガソリンスタンド、ホテル、駅構内などに設置されている。
【００２４】
サーバ１２は、携帯通販サイトのホームページ（ＨＰ）４０等を表示するためのＨＴＭＬ（ＨｙｐｅｒＴｅｘｔ Ｍａｒｋｕｐ Ｌａｎｇｕａｇｅ）文書や画像などの情報を蓄積しており、クライアントからの要求に応じてインターネットなどのネットワーク１６を介して蓄積している情報を送信することにより、ＨＰ４０の画像をクライアントのＷｅｂブラウザに表示させるＷｅｂサーバの機能を有している。
【００２５】
バーチャル自販機サービスを提供するサーバ１２は、図２に示すように、予め記憶した後述するバーチャル自販機サービスの処理ルーチンに従ってサーバ全体の制御を行なうＣＰＵ（中央処理装置）１２Ａ、この処理ルーチンのプログラムを記憶したＲＯＭ及びワークエリアとして使用されるＲＡＭを備えたメモリ１２Ｂ、ハードディスクドライブ等により構成され、複数のＨＴＭＬ文書や画像を、接続先のＵＲＬとを対応させて記憶するデータベース１２Ｃ、及びデータを入出力するための入出力ポート１２Ｄが設けられている。これらのＣＰＵ１２Ａ、メモリ１２Ｂ、データベース１２Ｃ、及び入出力ポート１２Ｄは、データバスやコントロールバス等のバスを介して相互に接続されている。
【００２６】
ここで、サーバ１２が提供するバーチャル自販機サービスの概要を説明する。バーチャル自販機サービスでは、ＰＯＰ型自販機２４に表示された商品群を通信販売する携帯通販サイト（以下、バーチャル自販機サイトと称する）の入り口ページの接続先のＵＲＬが、購入希望者が目的とするＰＯＰ型自販機２４の非接触ＩＣ端末２４Ａから購入希望者の携帯電話２２に読み込まれ、携帯電話２２からバーチャル自販機サイトの入り口ページのＨＰ４０にアクセスされる。そして、携帯電話２２において、入り口ページに表示されたＰＯＰ型自販機２４に対応するメールアドレスに基づいて、空の電子メールがサーバ１２に送信される。
【００２７】
サーバ１２において、携帯電話２２からの空の電子メールが受信されると、購入希望者が目的とするバーチャル自販機サイトの接続先ＵＲＬを示す電子メールを購入希望者の携帯電話２２に送信する。これにより、空の電子メールに対する返信メールをサーバ１２から受信した携帯電話２２は、データベース１２Ｃに記憶されている目的とするバーチャル自販機サイトのＨＰ４０にアクセスすることができる。
【００２８】
そして、購入希望者の携帯電話２２からのバーチャル自販機サイトへのアクセスにより、購入希望者に対して、バーチャル自販機の商品に関する詳細情報を示すと共に、ユーザから商品の購入要求があった場合には、決済を行い、購入商品の発送指示を行う。
【００２９】
また、サーバ１２のデータベース１２Ｃにバーチャル自販機サイトを格納する際に、バーチャル自販機サイトで販売する商品群のカテゴリや、ジャンル、顧客層などを示す検索用フラグを登録するようになっており、バーチャル自販機サイト毎の検索用フラグがデータベース１２Ｃに登録されている。また、サーバ１２のデータベース１２Ｃには、以前バーチャル自販機サービスを利用した顧客のメールアドレスが顧客リストとして登録されている。なお、カテゴリやジャンルを示す検索用フラグを登録する場合に、該当する検索用フラグがないときには、バーチャル自販機サイトを格納するときに、新たに検索用フラグを作成することができるようになっている。
【００３０】
また、購入希望者が使用する携帯電話２２には、図３に示すように、Ｗｅｂブラウザ等のソフトウェアや、非接触ＩＣ端末２４Ａから読み取った接続先ＵＲＬにアクセスするソフトウェア、Ｗｅｂブラウザが表示するページに表示されたメールアドレスを送信先として、空の電子メールを送信するソフトウェア等が記憶されたメモリ２２Ａ、メモリ２２Ａに記憶されたソフトウェアに従って処理を行なうＣＰＵ２２Ｂ、データの送受信を行なう送受信部２２Ｃ、情報を表示するＬＣＤ表示部２２Ｄ、確定キーやテンキー等を備えたキー操作部２２Ｅ、及び非接触ＩＣ端末２４Ａからメールアドレスを読み取るための非接触ＩＣリーダ２２Ｆが設けられている。
【００３１】
以下、非接触ＩＣ端末２４Ａの情報が携帯電話２２で読み取られた場合のバーチャル自販機システム１０の処理の流れについて説明する。
【００３２】
携帯電話２２において、非接触ＩＣ端末２４Ａからの読取モードを起動して、非接触ＩＣリーダ２２Ｆを非接触ＩＣ端末２４Ａに向けて、携帯電話２２のキー操作部２２Ｅに設けられている確定キーをオン操作すると、読取動作が開始されると共に、メモリ２２Ａに記憶されている処理ルーチンのプログラムが起動される。この処理ルーチンのプログラムにより、非接触ＩＣリーダ２２Ｆで読み取った接続先ＵＲＬに、要求信号を送信することができる。
【００３３】
サーバ１２では、携帯電話２２から要求信号を受信すると、図４に示すバーチャル自販機サービスの処理ルーチンが、サーバ１２のＣＰＵ１２Ａで実行される。まず、ステップ１００において、要求信号の接続先ＵＲＬに対応するバーチャル自動販売機データとしてのバーチャル自販機サイトの入り口ページのＨＴＭＬ文書を携帯電話２２に送信し、ステップ１０２で、携帯電話２２から送信される空の電子メールを受信したか否かを判定する。
【００３４】
携帯電話２２では、受信したＨＴＭＬ文書に基づいて、ブラウザによって、バーチャル自販機サイトの入り口ページのＨＰ４０が表示され、入り口ページにおいて、バーチャル自販機サイトに応じて定められたメールアドレスが表示される。購入希望者が携帯電話２２のキー操作部２２Ｅを操作して、メールアドレスをクリックすると、バーチャル自販機サイトに応じて定められたメールアドレスを送信先とする空の電子メールが生成され、購入希望者が携帯電話２２のキー操作部２２Ｅを操作することにより空の電子メールが送信される。
【００３５】
上記ステップ１０２で、購入希望者から、バーチャル自販機サイトに応じて定められたメールアドレスを送信先とする空の電子メールが受信されたと判定されると、ステップ１０４へ進み、購入希望者が初回アクセスであるか否かを判定する。受信した空の電子メールの送信元メールアドレスが、データベース１２Ｃに登録されている顧客リストのメールアドレスと一致するか否かを判定し、顧客リストの何れのメールアドレスとも一致しない場合には、初回アクセスであると判断し、ステップ１０６において、空の電子メールの送信元メールアドレスを、顧客リストに登録し、ステップ１０８へ移行する。
【００３６】
一方、上記ステップ１０４で、受信した空の電子メールの送信元メールアドレスが、データベース１２Ｃに登録されている顧客リストのメールアドレスと一致したと判定されると、初回アクセスではないと判断し、ステップ１０８へ移行する。
【００３７】
ステップ１０８では、空の電子メールの返信として、購入希望者が目的とするバーチャル自販機サイトのメインページの接続先ＵＲＬが記載された電子メールを生成して、購入希望者の携帯電話２２に電子メールを送信して、処理ルーチンを終了する。
【００３８】
そして、購入希望者の携帯電話２２では、サーバ１２から電子メールを受信すると、図５（Ａ）に示すように、ＬＤＣ表示部２２Ｄに返信された電子メールが表示され、購入希望者が携帯電話２２のキー操作部２２Ｅを操作することにより、バーチャル自販機サイトの接続先ＵＲＬをクリックすると、携帯電話２２は、バーチャル自販機サイトのメインページのＨＰ４０にアクセスし、図５（Ｂ）に示すように、メインページのＨＰ４０がＬＣＤ表示部２２Ｄに表示され、例えば、バーチャル自販機を示すフラッシュ画像が表示される。
【００３９】
さらに、購入希望者が携帯電話２２のキー操作部２２Ｅを操作することにより、図５（Ｃ）に示すように、バーチャル自販機サイトの商品選択ページのＨＰ４０が表示され、バーチャル自販機サイトで購入できる商品群が表示され、キー操作部２２Ｅの操作により、何れかの商品が選択されると、図５（Ｄ）に示すように、選択された商品に関する商品詳細ページのＨＰ４０へ遷移し、キー操作部２２Ｅの操作により、購入指示が入力されると、図５（Ｅ）に示すように、購入確認ページのＨＰ４０へ遷移する。
【００４０】
更に、キー操作部２２Ｅの操作により、清算指示が入力されると、図５（Ｆ）、（Ｇ）に示すように清算方法指定ページに遷移し、図５（Ｈ）に示すような発注確認ページのＨＰ４０に遷移し、キー操作部２２Ｅの操作により、発注確定指示が入力されると、商品購入手続きが終了し、バーチャル自販機サイトが終了する。
【００４１】
また、上記図５（Ｄ）に示す商品詳細ページにおいて、サンプル閲覧指示が入力されると、図６（Ａ）〜図６（Ｃ）に示すように、サンプル閲覧ページのＨＰ４０へ遷移し、サンプル動画が再生され、購入希望者はサンプル動画を見た後に、購入指示を入力することができる。
【００４２】
また、バーチャル自販機サイトの各ページにおいて、購入希望者の携帯電話２２のキー操作部２２Ｅの操作により、バーチャル自販機検索ページのＨＰ４０に遷移することができ、バーチャル自販機検索ページでは、サーバ１２のデータベース１２Ｃに登録されている検索用フラグの各々をチェックすることができるようになっており、購入希望者の携帯電話２２のキー操作部２２Ｅの操作により、購入希望者が目的とする商品群に該当する検索用フラグがチェックされ、検索リクエストがサーバ１２に送信されると、サーバ１２において、図７に示す検索処理ルーチンが実行される。
【００４３】
まず、ステップ１２０において、データベース１２Ｃに登録されている各バーチャル自販機サイトの検索用フラグを読み込み、ステップ１２２において、受信した検索リクエストが示す検索用フラグのチェックと一致する検索用フラグを、上記ステップ１２０で読み込まれた検索用フラグの中から検索し、ステップ１２４において、該当する検索用フラグがあったか否かを判定する。
【００４４】
該当する検索用フラグがなかった場合には、ステップ１２６において、該当するバーチャル自販機サイトがなかったことを示すページのＨＴＭＬ文書を携帯電話２２に送信し、検索処理ルーチンを終了する。
【００４５】
一方、上記ステップ１２４において、該当する検索用フラグがあった場合には、ステップ１２８において、該当するバーチャル自販機サイトをリスト表示するページのＨＴＭＬ文書を作成し、ステップ１３０において、作成されたバーチャル自販機サイトをリスト表示するページのＨＴＭＬ文書を携帯電話２２に送信して、検索処理ルーチンを終了する。
【００４６】
そして、購入希望者の携帯電話２２では、目的とするバーチャル自販機サイトが検索されると、受信したＨＴＭＬ文書によるバーチャル自販機サイトをリスト表示するページから、各バーチャル自販機サイトへ遷移して、目的とするバーチャル自販機サイトで、商品を購入することができる。
【００４７】
以上説明したように、第１の実施の形態に係るバーチャル自販機システムによれば、ＰＯＰ型自販機に設けられた非接触ＩＣ端末の情報を、購入希望者の携帯電話に読み取らせて、携帯電話にデータの要求信号を送信させ、購入希望者の携帯電話からデータの要求信号を受信し、バーチャル自販機サイトの入り口ページのＨＴＭＬ文書を携帯電話に送信することにより、ＰＯＰ型自販機を設置すれば、購入希望者の携帯電話を用いて、商品を通信販売することができるため、低コストで、商品を販売するための機会を多く提供することができる。
【００４８】
また、バーチャル自販機サイトの入り口ページのＨＴＭＬ文書を携帯電話に送信した後、サーバと携帯電話との間で電子メールの送受信を行うことによって、バーチャル自販機サイトのメインページへ購入希望者を誘導することができる。
【００４９】
次に、第２の実施の形態について説明する。なお、第１の実施の形態と同様の構成となっている部分については、同一符号を付して説明を省略する。
【００５０】
第２の実施の形態では、バーチャル自販機サイトの入り口ページの接続先ＵＲＬを示す二次元コードを、携帯電話のカメラによって読み取っている点が第１の実施の形態と異なっている。
【００５１】
第２の実施の形態に係るバーチャル自販機システムのＰＯＰ型自販機には、図８に示すような二次元コード２２４Ａ（例えば、ＱＲコード）が表示されており、二次元コード２２４Ａは、バーチャル自販機サイトの入り口ページの接続先ＵＲＬを変換したマークとなっている。
【００５２】
ここで、二次元コード２２４Ａは、図８に示すように、濃いセル及び淡いセルを複数個マトリクス状に配列することにより任意の情報を表したマークである。二次元コード２２４Ａの周囲には二次元コード２２４Ａに表された情報を正確に読み取るため所定のサイズのマージン２２８が設けられている。
【００５３】
また、図９に示すように、携帯電話２２２には、メモリ２２Ａ、ＣＰＵ２２Ｂ、送受信部２２Ｃ、ＬＣＤ表示部２２Ｄ、キー操作部２２Ｅ、及び二次元コード２２４Ａを撮像するためのカメラ２２２Ｆが設けられている。携帯電話２２２は、カメラ２２２Ｆによって二次元コード２２４Ａを撮像すると、撮像された画像内の二次元コード２２４Ａを、接続先ＵＲＬに変換して、二次元コード２２４Ａが表す接続先ＵＲＬを読取る。
【００５４】
なお、サーバ１２の構成については、第１の実施の形態と同様であるため、説明を省略する。
【００５５】
次に、二次元コード２２４Ａが携帯電話２２２で読み取られた場合のバーチャル自販機システムの処理の流れについて説明する。
【００５６】
携帯電話２２２において、二次元コード２２４Ａからの読取モードを起動して、カメラ２２２Ｆを二次元コード２２４Ａに向けて、携帯電話２２２のキー操作部２２Ｅに設けられている確定キーをオン操作すると、読取動作が開始されると共に、メモリ２２Ａに記憶されている処理ルーチンのプログラムが起動される。この処理ルーチンのプログラムにより、カメラ２２２Ｆで読み取った接続先ＵＲＬに、要求信号を送信することができる。
【００５７】
そして、サーバ１２において、上述した第１の実施の形態と同様に、バーチャル自販機サービスの処理ルーチン及び検索処理ルーチンが実行される。
【００５８】
このように、ＰＯＰ型自販機に表示された二次元コードを購入希望者の携帯電話に読み取らせて、携帯電話にデータの要求信号を送信させ、購入希望者の携帯電話からデータの要求信号を受信し、バーチャル自販機サイトの入り口ページのＨＴＭＬ文書を携帯電話に送信することにより、ＰＯＰ型自販機を設置すれば、購入希望者の携帯電話を用いて、商品を通信販売することができるため、低コストで、商品を販売するための機会を多く提供することができる。
【００５９】
なお、上記の実施の携帯では、二次元コードをＰＯＰ型自販機に表示した場合を例に説明したが、これに限定されるものではなく、例えば、テレビや雑誌に二次元コードを表示するようにしてもよい。
【００６０】
また、二次元コードとして、ＱＲコードを用いた場合を例に説明したが、これに限定されるものではなく、カラーコードやプチコードをＰＯＰ型自販機に表示してもよい。
【００６１】
次に、第３の実施の形態について説明する。なお、第１の実施の形態と同様の構成となっている部分については、同一符号を付して説明を省略する。
【００６２】
第３の実施の形態では、空の電子メールの送信先のメールアドレスがＰＯＰ型自販機に表示されている点と、購入希望者がＰＯＰ型自販機に表示されているメールアドレスに基づいて、空の電子メールを手動で生成している点とが第１の実施の形態と異なっている。
【００６３】
第３の実施の形態に係るバーチャル自販機システムでは、ＰＯＰ型自販機に、バーチャル自販機サイトに対応して定められたメールアドレスが表示されており、購入希望者は、携帯電話２２の電子メール作成モードを起動して、また、携帯電話２２のキー操作部２２Ｅを操作して、ＰＯＰ型自販機に表示されたメールアドレスを送信先メールアドレスとして入力し、空の電子メールを生成する。そして、購入希望者が携帯電話２２のキー操作部２２Ｅを操作することにより空の電子メールが送信される。
【００６４】
サーバ１２では、購入希望者から、バーチャル自販機サイトに応じて定められたメールアドレスを送信先とする空の電子メールが受信されたと判定されると、上記の第１の実施の形態で説明したバーチャル自販機サービスの処理ルーチンのステップ１０４以降を同様に実行する。
【００６５】
このように、ＰＯＰ型自販機に表示されたメールアドレスに基づいて、購入希望者の携帯電話から空の電子メールを送信させ、購入希望者の携帯電話から空の電子メールを受信し、バーチャル自販機サイトのメインページのＨＴＭＬ文書を携帯電話に送信することにより、ＰＯＰ型自販機を設置すれば、購入希望者の携帯電話を用いて、商品を通信販売することができるため、低コストで、商品を販売するための機会を多く提供することができる。
【図面の簡単な説明】
【００６６】
【図１】本発明の第１の実施の形態に係るバーチャル自販機システムの構成を示す概略図である。
【図２】本発明の第１の実施の形態に係るサーバの構成を示すブロック図である。
【図３】本発明の第１の実施の形態に係る携帯電話の構成を示すブロック図である。
【図４】本発明の第１の実施の形態に係るサーバにおけるバーチャル自販機サービスの処理ルーチンの内容を示すフローチャートである。
【図５】携帯電話のＬＣＤ表示部に表示されるバーチャル自販機サイトのＨＰの例を示すイメージ図である。
【図６】携帯電話のＬＣＤ表示部に表示されるバーチャル自販機サイトのサンプル閲覧ページのＨＰの例を示すイメージ図である。
【図７】本発明の第１の実施の形態に係るサーバにおける検索処理ルーチンの内容を示すフローチャートである。
【図８】本発明の第２の実施の形態に係るＰＯＰ型自販機に表示されている二次元コードを説明するためのイメージ図である。
【図９】本発明の第２の実施の形態に係る携帯電話の構成を示すブロック図である。
【符号の説明】
【００６７】
１０  バーチャル自販機システム
１２  サーバ
１２Ａ  ＣＰＵ
１２Ｃ  データベース
１２Ｂ  メモリ
１６  ネットワーク
２２、２２２  携帯電話
２２Ｂ  ＣＰＵ
２２Ｃ  送受信部
２２Ｄ  ＬＣＤ表示部
２２Ｅ  キー操作部
２２Ｆ  非接触ＩＣリーダ
２４  ＰＯＰ型自販機
２４Ａ  非接触ＩＣ端末
２４Ｂ  商品群表示部
４０  ＨＰ
２２２Ｆ  カメラ
２２４Ａ  二次元コード
【図１】
2008176554.tif 000003
【図２】
2008176554.tif 000004
【図３】
2008176554.tif 000005
【図４】
2008176554.tif 000006
【図５】
2008176554.tif 000007
【図６】
2008176554.tif 000008
【図７】
2008176554.tif 000009
【図８】
2008176554.tif 000010
【図９】
2008176554.tif 000011